(57)【要約】【課題】耐ノイズ性が高くかつコストを低くできる、スキャナ装置を提供する。【解決手段】スキャナ装置１０は、写真フィルムＦに向けて光を発する光源部１２、写真フィルムＦを透過した光を検出し画像情報を得るＣＣＤセンサ４０ａ，４０ｂとＣＣＤセンサ４０ａ，４０ｂからの画像情報をデジタルの画像データに変換するＡ／Ｄ変換回路４２とを含む検出部１８、および検出部１８からの画像データを処理する画像処理回路２０を備える。ＣＣＤセンサ４０ａ，４０ｂとＡ／Ｄ変換回路４２とが相互の位置関係が変化しないように接続される。【選択図】        図１
2004266444.tif 000002
【特許請求の範囲】
【請求項１】
写真フィルムから画像を読み取るスキャナ装置であって、
前記写真フィルムに向けて光を発する光源部、
前記写真フィルムを透過した光を検出し画像情報を得るＣＣＤセンサと前記ＣＣＤセンサからの画像情報をデジタルの画像データに変換するＡ／Ｄ変換手段とを含む検出手段、および
前記検出手段からの画像データを処理する画像処理手段を備え、
前記ＣＣＤセンサと前記Ａ／Ｄ変換手段とが相互の位置関係が変化しないように接続されることを特徴とする、スキャナ装置。
【発明の詳細な説明】
【０００１】
【発明の属する技術分野】
この発明はスキャナ装置に関し、より特定的には、写真処理装置に用いられ写真フィルムの画像を読み取るスキャナ装置に関する。
【０００２】
【従来の技術】
近年、写真フィルムの画像を光学的に読み取り、デジタルデータとしての画像データを得るスキャナ装置が開発されており、図３および図４にその一例としてのスキャナ装置１を示す。
【０００３】
スキャナ装置１は、写真処理装置に用いられ、搬送部２の１３５フィルムレーン３ａと２４０フィルムレーン３ｂとを固定し、光源部４、投影用レンズ５および検出部６を、スキャニングすべき写真フィルムＦが装着された方のフィルムレーンに対応するよう移動させることができる。これによって、１３５フィルムと２４０フィルムとを選択的にスキャニングできる。スキャナ装置１では、検出部６内のＣＣＤセンサ６ａ，６ｂと検出部６の外部に設けられたＡ／Ｄ変換回路７とは、シールドケーブルからなるアナログ信号線（耐ノイズ性が高い信号線）８ａ，８ｂによって接続され、Ａ／Ｄ変換回路７には画像処理回路９が接続される。
【０００４】
【発明が解決しようとする課題】
しかし、スキャナ装置１では、ＣＣＤセンサ６ａ，６ｂとＡ／Ｄ変換回路７とを接続するアナログ信号線８ａ，８ｂはレーンチェンジのたびに動かされるので、長いアナログ信号線８ａ，８ｂが必要となってしまい、ノイズに弱くなるという問題点があった。
【０００５】
したがって、アナログ信号線８ａ，８ｂとして、シールドが施されかつ屈曲性のあるケーブルを用いる必要があるためコストが高くなってしまう。
それゆえに、この発明の主たる目的は、耐ノイズ性が高くかつコストを低くできる、スキャナ装置を提供することである。
【０００６】
【課題を解決するための手段】
上記目的を達成するために、請求項１に記載のスキャナ装置は、写真フィルムから画像を読み取るスキャナ装置であって、写真フィルムに向けて光を発する光源部、写真フィルムを透過した光を検出し画像情報を得るＣＣＤセンサとＣＣＤセンサからの画像情報をデジタルの画像データに変換するＡ／Ｄ変換手段とを含む検出手段、および検出手段からの画像データを処理する画像処理手段を備え、ＣＣＤセンサとＡ／Ｄ変換手段とが相互の位置関係が変化しないように接続されることを特徴とする。
【０００７】
請求項１に記載のスキャナ装置では、レーンチェンジの際に検出手段を移動させても、Ａ／Ｄ変換手段を検出手段に組み込みＡ／Ｄ変換手段とＣＣＤセンサとの相互の位置関係は変化しないので、Ａ／Ｄ変換手段とＣＣＤセンサとの接続には通常の信号線を用いることができる。また、検出手段から画像処理手段へ与えられるデータはデジタル信号であるので、検出手段から出力される画像データはノイズに強くなり、Ａ／Ｄ変換手段と画像処理手段とを接続する信号線としてデジタル用の安価なケーブルを用いることができる。したがって、耐ノイズ性が高くかつコストの低いスキャナ装置が得られる。
【０００８】
【発明の実施の形態】
以下、図面を参照して、この発明の実施形態について説明する。
図１および図２を参照して、この発明の一実施形態のスキャナ装置１０は、写真処理装置に用いられ写真フィルムの画像を読み取る装置であり、写真フィルムＦに光を照射するための光源部１２、写真フィルムＦを搬送するための搬送部１４、写真フィルムＦを透過した光を検出部１８に投影するための投影用レンズ１６、与えられた光を検出し写真フィルムＦの画像データを得るための検出部１８、および検出部１８からの画像データを処理するための画像処理回路２０を含む。
【０００９】
光源部１２は、ＬＥＤユニット２２ａ，２２ｂおよび２２ｃを含む。ＬＥＤユニット２２ａは、ネガフィルムに対して赤色の光を発するＬＥＤ、ポジフィルムに対して赤色の光を発するＬＥＤ、および赤外線を発するＬＥＤを含む。ＬＥＤユニット２２ｂは、青色の光を発するＬＥＤを含み、ＬＥＤユニット２２ｃは緑色の光を発するＬＥＤを含む。
【００１０】
ＬＥＤユニット２２ａ，２２ｂおよび２２ｃと写真フィルムＦとの間には、照射用レンズ２４ａ，２４ｂおよび２４ｃ、ダイクロイックフィルター２６，２８、および照射用レンズ３０が配置される。ＬＥＤユニット２２ａから発せられた光は、照射用レンズ２４ａ、ダイクロイックフィルター２６，２８および照射用レンズ３０を介して写真フィルムＦに照射される。ＬＥＤユニット２２ｂから発せられた光は、照射用レンズ２４ｂ、ダイクロイックフィルター２６，２８および照射用レンズ３０を介して写真フィルムＦに与えられる。ＬＥＤユニット２２ｃから発せられた光は、照射用レンズ２４ｃ、ダイクロイックフィルター２８および照射用レンズ３０を介して写真フィルムＦに与えられる。
【００１１】
ＬＥＤユニット２２ａ〜２２ｃを用いてスキャニングすれば、対応する各色素（赤、青、緑）と写真フィルムＦ上の傷情報を含んだ画像データが得られるとともに、写真フィルムＦ上の傷情報の画像データが得られる。したがって、画像処理回路２０において、各色素（赤、青、緑）と写真フィルムＦ上の傷情報を含んだ画像データから写真フィルムＦ上の傷情報の画像データを差し引くことによって、写真フィルムＦ上の傷情報を除去した各色素（赤、青、緑）のみの画像データが得られる。
【００１２】
写真フィルムＦを搬送するための搬送部１４は、１３５フィルム用の１３５フィルムレーン１５ａと２４０フィルム（ＡＰＳ用フィルム）用の２４０フィルムレーン１５ｂとを含む。１３５フィルムレーン１５ａは、複数のローラ対３２ａ，３４ａおよび３６ａを含み、各ローラ対３２ａ〜３６ａを回転させることによって１３５フィルムレーン１５ａに装着された写真フィルムＦ（１３５フィルム）が矢印Ａ方向に搬送される。同様に、２４０フィルムレーン１５ｂは、複数のローラ対３２ｂ，３４ｂおよび３６ｂを含み（３２ｂ、３４ｂは図示せず）、各ローラ対３２ｂ〜３６ｂを回転させることによって２４０フィルムレーン１５ｂに装着された写真フィルムＦ（２４０フィルム）が矢印Ａ方向に搬送される。
写真フィルムＦと検出部１８との間には投影用レンズ１６が配置され、光源部１２から発せられて写真フィルムＦの画像領域を透過し投影用レンズ１６によって投影された光を検出できるように、検出部１８が設けられる。
【００１３】
検出部１８は、写真フィルムＦの透過光の光路上に設けられるダイクロイックフィルター３８、ダイクロイックフィルター３８を介して与えられる光を検出し各色素（赤、青、緑）と写真フィルムＦ上の傷情報を含んだ画像情報を得るＣＣＤセンサ４０ａ、ダイクロイックフィルター３８を透過した赤外線を検出し写真フィルムＦ上の傷情報の画像情報を得るＣＣＤセンサ４０ｂ、およびＣＣＤセンサ４０ａ，４０ｂで得られた画像情報（アナログの電気信号）をデジタルの画像データに変換するＡ／Ｄ変換回路４２を含む。
【００１４】
ここで、ＣＣＤセンサ４０ａ，４０ｂとＡ／Ｄ変換回路４２とは相互の位置関係が変化しないように固定され、ＣＣＤセンサ４０ａ，４０ｂとＡ／Ｄ変換回路４２とが、屈曲性を有するケーブルではなく一般のケーブルからなる信号線で接続される。
【００１５】
そして、検出部１８内のＡ／Ｄ変換回路４２と、検出部１８の外部に設けられる画像処理回路２０とが、屈曲性を有するケーブルからなるデジタル用の信号線（高い耐ノイズ性が要求されない信号線）４４によって接続される。
【００１６】
このようなスキャナ装置１０において、光源部１２、投影用レンズ１６および検出部１８は、一体的に移動でき、かつ固定されているフィルムレーン１５ａおよび１５ｂに対して相対的に移動（図２では左右方向に）でき、１３５フィルムと２４０フィルムとを選択的にスキャニングできるように位置決めされる。図２には、１３５フィルムをスキャニングできるように、光源部１２、投影用レンズ１６および検出部１８が位置決めされた場合を示す。
【００１７】
スキャナ装置１０によれば、レーンチェンジの際に光源部１２、投影用レンズ１６および検出部１８を移動させても、Ａ／Ｄ変換回路４２は検出部１８内に構成されＣＣＤセンサ４０ａ，４０ｂとＡ／Ｄ変換回路４２との相互の位置関係は変化しないので、ＣＣＤセンサ４０ａ，４０ｂとＡ／Ｄ変換回路４２との接続には通常の信号線を用いることができる。
【００１８】
また、Ａ／Ｄ変換回路４２すなわち検出部１８から画像処理回路２０へ与えられるデータはデジタル信号であるので、検出部１８から出力される画像データはノイズに強くなる。したがって、データの信頼性を向上でき、Ａ／Ｄ変換回路４２と画像処理回路２０とを接続する信号線４４として特殊なシールドケーブルを用いる必要はなくデジタル用の安価なケーブルを用いることができる。したがって、耐ノイズ性が高くかつコストの低いスキャナ装置１０が得られる。
【００１９】
なお、光源部１２は、たとえばハロゲンランプで構成されてもよく、また、赤外線を照射しない構成であってもよい。
さらに、ＣＣＤセンサ４０ａおよび４０ｂは面センサであってもよい。また、ＣＣＤセンサ４０ａによって青色と緑色の光を検出し、ＣＣＤセンサ４０ｂによって赤色の光と赤外線とを検出するようにしてもよく、ＣＣＤセンサ４０ａおよび４０ｂのそれぞれによって検出される光の組合せは任意でよい。
【００２０】
【発明の効果】
この発明によれば、耐ノイズ性が高くかつコストの低いスキャナ装置が得られる。
【図面の簡単な説明】
【図１】この発明の一実施形態を示す正面図解図である。
【図２】この発明の一実施形態を示す側面図解図である。
【図３】従来技術の一例を示す正面図解図である。
【図４】従来技術の一例を示す側面図解図である。
【符号の説明】
１０      スキャナ装置
１２      光源部
１４      搬送部
１５ａ      １３５フィルムレーン
１５ｂ      ２４０フィルムレーン
１８      検出部
２０      画像処理回路
４０ａ，４０ｂ      ＣＣＤセンサ
４２      Ａ／Ｄ変換回路
４４      信号線
Ｆ        写真フィルム
【図１】
2004266444.tif 000003
【図２】
2004266444.tif 000004
【図３】
2004266444.tif 000005
【図４】
2004266444.tif 000006